(57)【要約】本開示の実装形態は、タブレットコンピューティング機器により、一人または複数の患者と関連付けられた患者データを反映する一つまたは複数の信号を受け取る動作であって、タブレットコンピューティング機器は一人または複数の患者のうちの患者の生理特性を監視する患者監視システムにおいて設けられ、患者データの少なくとも第1のサブセットが患者と関連付けられており、患者の生理特性に応答する一つまたは複数のセンサから提供されるものである、一つまたは複数の信号を受け取る動作と、患者データを処理して患者データを反映する一つまたは複数の図形表現を生成する動作と、一つまたは複数の図形表現をタブレットコンピューティング機器のタッチスクリーン上に表示する動作とを含む方法を提供する。2015519101.tif 000003
2015519101.tif 000002
【特許請求の範囲】
【請求項１】
一つまたは複数のプロセッサを用いて実行されるコンピュータ実装方法であって、以下の工程を含む方法:
タブレットコンピューティング機器により、一人または複数の患者と関連付けられた患者データを反映する一つまたは複数の信号を受け取る工程であって、前記タブレットコンピューティング機器は前記一人または複数の患者のうちの患者の生理特性を監視する患者監視システムにおいて設けられ、前記患者データの少なくとも第1のサブセットが前記患者と関連付けられており、前記患者の前記生理特性に応答する一つまたは複数のセンサから提供されるものである、一つまたは複数の信号を受け取る工程;
前記患者データを処理して、前記患者データを反映する一つまたは複数の図形表現を生成する工程;および
前記一つまたは複数の図形表現を前記タブレットコンピューティング機器のタッチスクリーン上に表示する工程。
【請求項２】
一つまたは複数のセンサは患者監視システム内のタブレットコンピューティング機器と直接通信する、請求項1記載の方法。
【請求項３】
直接通信は有線通信および無線通信のうちの少なくとも一つを含む、請求項2記載の方法。
【請求項４】
患者データの第2のサブセットが、一人または複数の患者が治療されている施設と関連付けられた情報システムから提供される、請求項1記載の方法。
【請求項５】
患者データの第3のサブセットがデータ管理システム（DMS, data management system）から提供される、請求項1記載の方法。
【請求項６】
一つまたは複数の図形表現は患者データの第1のサブセットに基づく波形を含む、請求項1記載の方法。
【請求項７】
一つまたは複数の図形表現は一人または複数の患者のうちの複数の患者の生理特性と関連付けられた波形を含む、請求項1記載の方法。
【請求項８】
タブレットコンピューティング機器が患者監視システムのドッキングステーションにドッキングしていることを判定する工程;および
前記判定に応答して、前記タブレットコンピューティング機器をシングルアプリケーションモードで実行する工程
をさらに含む、請求項1記載の方法。
【請求項９】
シングルアプリケーションモードで動作しているとき、タブレットコンピューティング機器は、一つまたは複数の信号を受け取り、患者データを処理し、一つまたは複数の図形表現を生成するための患者監視アプリケーションを実行することしかできない、請求項8記載の方法。
【請求項１０】
タブレットコンピューティング機器がドッキングステーションにドッキングしていることの判定に応答して、前記タブレットコンピューティング機器の一つまたは複数のボタンの機能を使用不可にする工程をさらに含む、請求項8記載の方法。
【請求項１１】
一つまたは複数のボタンはホームボタンおよびスリープ/起動ボタンを含む、請求項10記載の方法。
【請求項１２】
認証データを含むユーザ入力を受け取る工程;
前記ユーザ入力が認証済みユーザに対応することを判定する工程;および
前記判定に応答して、タブレットコンピューティング機器が複数のコンピュータプログラムアプリケーションを実行することができるようにシングルアプリケーションモードを終了する工程
をさらに含む、請求項8記載の方法。
【請求項１３】
一つまたは複数のプロセッサに結合された、命令が記憶されているコンピュータ可読記憶装置であって、前記命令は、前記一つまたは複数のプロセッサによって実行されると、前記一つまたは複数のプロセッサに動作を実行させ、前記動作は、
タブレットコンピューティング機器により、一人または複数の患者と関連付けられた患者データを反映する一つまたは複数の信号を受け取る動作であって、前記タブレットコンピューティング機器は前記一人または複数の患者のうちの患者の生理特性を監視する患者監視システムにおいて設けられ、前記患者データの少なくとも第1のサブセットが、前記患者と関連付けられており、前記患者の前記生理特性に応答する一つまたは複数のセンサから提供されるものである、一つまたは複数の信号を受け取る動作と、
前記患者データを処理して前記患者データを反映する一つまたは複数の図形表現を生成する動作と、
前記一つまたは複数の図形表現を前記タブレットコンピューティング機器のタッチスクリーン上に表示する動作と
を含むものである、コンピュータ可読記憶装置。
【請求項１４】
一人または複数の患者のうちの患者の生理特性に応答する一つまたは複数のセンサと、
前記一つまたは複数のセンサと通信しており、命令が記憶されているコンピュータ可読記憶装置を備えるタブレットコンピューティング機器であって、前記命令は、前記タブレットコンピューティング機器によって実行されると、前記タブレットコンピューティング機器に動作を実行させ、前記動作は、
患者データを反映する一つまたは複数の信号を受け取る動作であって、前記患者データの少なくとも第1のサブセットが前記患者と関連付けられている、一つまたは複数の信号を受け取る動作と、
前記患者データを処理して前記患者データを反映する一つまたは複数の図形表現を生成する動作と、
前記一つまたは複数の図形表現を前記タブレットコンピューティング機器のタッチスクリーン上に表示する動作と
を含むものである、前記タブレットコンピューティング機器と
を備える、患者監視システム。
【発明の詳細な説明】
【背景技術】
【０００１】
背景
本開示の実装形態は、モバイル機器上で患者データおよび/または情報を表示することを対象とする。
【０００２】
医師およびその他の保健医療提供者は、現在、無線通信技術の進歩の恩恵を受ける多数の製品およびシステムを利用しているが、これらの機器上で実際的に効率よく送信し、受信し、表示することのできる情報には依然として著しい制限がある。モバイル機器に固有の多くの制限があり、それらの制約は特に、速度、性能、メモリ、および表示サイズに関連したものである。加えて、医療データの重大性により、潜在的に低速、低帯域幅であり、往々にして断続的でありうる無線接続上で、この技術が確実に、効率よく働くことが重要である。
【発明の概要】
【０００３】
概要
本開示の実装形態は一般に、タブレットコンピューティング機器により、一人または複数の患者と関連付けられた患者データを反映する一つまたは複数の信号を受け取る動作であって、タブレットコンピューティング機器は一人または複数の患者のうちの患者の生理特性を監視する患者監視システムにおいて設けられ、患者データの少なくとも第1のサブセットが患者と関連付けられており、患者の生理特性に応答する一つまたは複数のセンサから提供されるものである、一つまたは複数の信号を受け取る動作と、患者データを処理して患者データを反映する一つまたは複数の図形表現を生成する動作と、一つまたは複数の図形表現をタブレットコンピューティング機器のタッチスクリーン上に表示する動作とを含む方法を対象とする。
【０００４】
いくつかの実装形態では、一つまたは複数のセンサは患者モニタリングシステム内でタブレットコンピューティング機器と直接通信する。
【０００５】
いくつかの実装形態では、直接通信は有線通信および無線通信のうちの少なくとも一つを含む。
【０００６】
いくつかの実装形態では、患者データの第2のサブセットが、一人または複数の患者が治療される施設と関連付けられた情報システムから提供される。
【０００７】
いくつかの実装形態では、患者データの第3のサブセットがデータ管理システム（DMS, data management system）から提供される。
【０００８】
いくつかの実装形態では、一つまたは複数の図形表現は患者データの第1のサブセットに基づく波形を含む。
【０００９】
いくつかの実装形態では、一つまたは複数の図形表現は一人または複数の患者のうちの複数の患者の生理特性と関連付けられた波形を含む。
【００１０】
いくつかの実装形態では、動作は、タブレットコンピューティング機器が患者監視システムのドッキングステーションにドッキングしていると判定する動作と、判定に応答して、タブレットコンピューティング機器をシングルアプリケーションモードで実行する動作とをさらに含む。いくつかの例では、シングルアプリケーションモードで動作しているとき、タブレットコンピューティング機器は、一つまたは複数の信号を受け取り、患者データを処理し、一つまたは複数の図形表現を生成するための患者監視アプリケーションを実行することしかできない。いくつかの例では、動作は、タブレットコンピューティング機器がドッキングステーションにドッキングしていると判定したことに応答して、タブレットコンピューティング機器の一つまたは複数のボタンの機能を使用不可にする動作をさらに含む。いくつかの例では、一つまたは複数のボタンはホームボタンおよびスリープ/起動ボタンを含む。いくつかの例では、動作は、認証データを含むユーザ入力を受け取る動作と、ユーザ入力が認証済みユーザに対応すると判定する動作と、判定に応答して、タブレットコンピューティング機器が複数のコンピュータプログラムアプリケーションを実行することができるようにシングルアプリケーションモードを終了する動作とをさらに含む。
【００１１】
本開示の別の局面は、一つまたは複数のプロセッサと、一つまたは複数のプロセッサに結合された、命令が記憶されているコンピュータ可読媒体であって、命令は、一つまたは複数のプロセッサによって実行されると、一つまたは複数のプロセッサに、本明細書において示す方法のうちの一つまたは複数を実行させるものである、コンピュータ可読媒体とを含むシステムを提供する。
【００１２】
本開示による方法は、本明細書において記述される局面および特徴の任意の組み合わせを含みうることが理解される。すなわち、本開示による方法は、本明細書において具体的に記述される局面および特徴の組み合わせだけに限定されるものではなく、提示される局面および特徴の任意の組み合わせも含むものである。
【００１３】
一つまたは複数の態様の詳細を添付の図面および以下の説明に示す。他の特徴、目的、および利点は、以下の説明および図面と、特許請求の範囲とから明らかになるであろう。
【図面の簡単な説明】
【００１４】
【図１】本開示によるシステムアーキテクチャ例の概略図である。
【図２】本開示による別のシステムアーキテクチャ例の概略図である。
【図３】本開示による別のシステムアーキテクチャ例の概略図である。
【図４】図3のシステムアーキテクチャ例の構成要素間の通信の例を示す図である。
【図５】患者データを収集し、表示するための患者監視システムの例を示す図である。
【図６】患者データを収集し、表示するための患者監視システムの例を示す図である。
【００１５】
様々な図面における類似の参照記号は類似の要素を示す。
【発明を実施するための形態】
【００１６】
詳細な説明
本開示は、保健医療提供者に、患者データへのセキュアなリモートアクセスを提供する。当座の説明のための非限定的な例として、本開示の実装形態を妊婦患者（産科（OB, obstetric）患者など）に対応する患者データの状況において説明する。本開示の実装形態はどんな種類の患者および対応する患者データにも適用できる。
【００１７】
次に図1を参照すると、例示的システムアーキテクチャ10が示されており、システムアーキテクチャ10は、リモート機器12、（一つまたは複数の）接続インターフェース14、ネットワーク16、第1の施設システム18および第2の施設システム20を含む。本明細書においてさらに詳細に論じるように、データは、リモート機器12上で提示または表示するために、第1および第2の施設システム18、20の各々からネットワーク16および（一つまたは複数の）接続インターフェース14を介して転送される。さらにデータは、リモート機器12から（一つまたは複数の）接続インターフェース14およびネットワーク16を介して第1および第2の施設システム18、20の各々へ転送することもできる。1台のリモート機器12だけが示されているが、一つまたは複数のリモート機器12がネットワーク16および（一つまたは複数の）接続インターフェース14を介して第1および第2の施設システム18、20の各々と通信しうるものであることが企図されている。同様に、2つの施設システムが示されているが、本開示は、一つまたはより多くの施設システムで実装することもできる。
【００１８】
リモート機器12には任意の数の機器例が含まれうる。そうした機器例には、それだけに限らないが、携帯電話、スマートフォン、携帯情報端末（PDA, personal digital assistant）、ラップトップ、タブレットパーソナルコンピュータ（PC, personal computer）、デスクトップPC、および/またはこれらの組み合わせが含まれる。リモート機器12は、ディスプレイ22、プロセッサ24、メモリ26、入力インターフェース28、および通信インターフェース30を含む。プロセッサ24は、本開示の実装形態を実行するための命令を処理することができる。これらの命令には、それだけに限らないが、ディスプレイ22上にグラフィック情報を表示するためのメモリ26に記憶された命令が含まれうる。ディスプレイの例には、それだけに限らないが、薄膜トランジスタ（TFT, thin-film-transistor）液晶ディスプレイ（LCD, liquid crystal display）や、有機発光ダイオード（OLED, organic light emitting diode）ディスプレイなどが含まれうる。
【００１９】
メモリ26はリモート機器12内で情報を記憶する。いくつかの実装形態では、メモリ26は、一つもしくは複数の揮発性メモリユニット、および/または一つもしくは複数の不揮発性メモリユニットを含みうる。他の実装形態では取り外し可能メモリを設けることができ、このメモリは、それだけに限らないが、メモリカードを含みうる。メモリカードの例には、それだけに限らないが、SD（secure digital）メモリカード、miniSDメモリカード、USBスティックなどが含まれうる。
【００２０】
入力インターフェース28には、それだけに限らないが、キーボード、タッチスクリーン、マウス、トラックボール、マイクロホン、タッチパッド、および/またはこれらの組み合わせが含まれうる。いくつかの実装形態では、オーディオコーデック（図示せず）を設けることもでき、オーディオコーデックはマイクロホンを介してユーザまたは他の音源から可聴入力を受け取り、その可聴入力を使用可能なディジタル情報に変換する。オーディオコーデックは、リモート機器12に備わるスピーカなどを介して、可聴音を生成することができる。そうした音には、それだけに限らないが、音声通話からの音、記録された音（例えば、音声メッセージ、音楽ファイルなど）、およびリモート機器12上で動作するアプリケーションによって生成された音が含まれうる。
【００２１】
リモート機器12は、ディジタル信号処理回路を含むことのできる（一つまたは複数の）通信インターフェース14を介して無線で通信してもよい。（一つまたは複数の）通信インターフェース14は、それだけに限らないが、GSM音声通話、SMS、EMSもしくはMMSメッセージング、CDMA、TDMA、PDC、WCDMA、CDMA2000、および/またはGPRSを含む様々なモードまたはプロトコルの下で通信を提供することができる。そうした通信は、例えば、無線周波数送受信機（図示せず）を介して行われうる。さらにリモート機器は、それだけに限らないが、Bluetooth送受信機および/またはWiFi送受信機（図示せず）を含む機構を使用して短距離通信を行いうるものとすることもできる。
【００２２】
リモート機器12は（一つまたは複数の）接続インターフェース14を介してネットワーク16と通信する。（一つまたは複数の）接続インターフェース14には、それだけに限らないが、衛星受信機、セルラネットワーク、Bluetoothシステム、WiFiシステム（例えば802.x）、ケーブルモデム、DSL/ダイヤルアップインターフェース、および/または構内交換（PBX, private branch exchange）システムが含まれうる。これらの接続インターフェース14は各々、データがネットワーク16へ/ネットワーク16から送信されることを可能にする。ネットワーク16は、ローカルエリアネットワーク（LAN, local area network）、広域ネットワーク（WAN, wide area network）、無線LAN（WLAN）、メトロポリタンエリアネットワーク（MAN, metropolitan area network）、パーソナルエリアネットワーク（PAN, personal area network）、インターネット、および/またはこれらの組み合わせとして提供することができる。
【００２３】
図1および図2のシステム例において、第1の施設システム18は複数の施設40を含み、第2の施設システム20は一つの施設40を含む。各施設システム18、20は一つまたは複数の施設を含むことができ、本明細書において記述される構成例だけに限定されないことが企図されている。複数の施設の場合、各施設は相互に離れて位置することもでき、かつ/または共通の場所、もしくはサイト（例えば、共通の建物内の別々の部署）に位置することもできる。各施設システム18、20は、例えば、医療システムとして設けることができ、この医療システムは、一つまたは複数の病院、病院システム、クリニック、診療所などを含むことができる。
【００２４】
各施設40は、関連付けられた情報システム42、（一つまたは複数の）コンピュータインターフェース44、および（一つまたは複数の）患者監視装置46を含む。情報システムの例には、それだけに限らないが、臨床情報システム（CIS, clinical information system）および/または病院情報システム（HIS, hospital information system）が含まれうる。各情報システム42はサーバとして設けることができ、施設40および/または施設システム18、20全体の、患者データなどの臨床情報の取得、記憶、変更、および配信をサポートする。各情報システム42は、それだけに限らないが、薬局管理システム、検査機関管理システム、および/または放射線管理システムを含みうる一つまたは複数の補助情報システム（図示せず）と通信することができる。例示的システムアーキテクチャ10は施設40ごとに位置する情報システム42を含むが、各施設40は、どの施設40からも離れて位置する、または施設システム18、20内の施設40のうちの一つに位置する共通の情報システム42と通信しうるものであることが企図されている。
【００２５】
コンピュータインターフェース44は、情報システム42内に記憶され、情報システム42によって管理される情報にアクセスできるようにするために情報システム42と通信することができる。コンピュータインターフェース44には、それだけに限らないが、パーソナルコンピュータ（PC）（例えば、デスクトップ、ラップトップ、タブレット）が含まれうる。本明細書で記述されるアーキテクチャ例にはただ一つのコンピュータインターフェース44が示されているが、一つまたは複数のコンピュータインターフェース44が情報システム42と通信しうるものであることが企図されている。各コンピュータインターフェース44と情報システム42との間の通信は、直接接続によって実現することもでき、それだけに限らないが、LAN、WAN、WLAN、および/またはインターネットを含みうるネットワーク（図示せず）を介してリモートで実現することもできる。
【００２６】
各患者監視装置46は個々の患者50の生理特性を監視し、それに基づくデータ信号を生成する。本明細書でさらに詳細に論じるように、本開示の実装形態は、タブレットコンピューティング機器といったコンピューティング機器を含む患者監視装置を提供する。データ信号は情報システム42へ送られ、情報システム42はデータ信号に基づいて患者データを収集し、そのデータを個々の患者と関連付けられた患者プロフィールに記憶する。患者50ごとに1台だけの患者監視装置46が示されているが、複数の患者監視装置46が個々の患者50を監視しうるものであることが企図されている。（一つまたは複数の）患者監視装置46は直接接続を介して情報システム42と通信することもでき、それだけに限らないが、LAN、WAN、WLAN、および/またはインターネットを含みうるネットワーク（図示せず）を介してリモートで通信することもできる。
【００２７】
患者データはコンピュータ機器44上に表示するために提供される。保健医療提供者（例えば看護師および/または医師）は、やはり情報システム44に記憶される患者情報を入力することにより患者データを補強することができる。より具体的には、保健医療提供者は、個々の患者50に対応する患者情報を入力することができ、患者情報は患者プロフィールに記憶されうる。非限定的な一例をあげると、看護師は看護メモを入力することができ、看護メモは情報システム内の患者プロフィールに記憶されうる。本明細書で使用する場合、患者情報という用語は、コンピュータインターフェース44を介して情報システム42に入力され、記憶される、ある患者に対応する任意の情報を含む。患者情報については以下でさらに詳細に論じる。
【００２８】
前述のように、各情報システム42は、患者監視装置46から収集されうる患者データ、ならびに、保健医療提供者によって入力される情報を含みうる追加患者情報を記憶する。情報システム44は、患者データおよび/または追加患者データをデータ管理システム（DMS）60へ送る。DMS60は、サーバソフトウェア構成要素を実行するサーバ、または仮想サーバとして設けることができ、それだけに限らないが、データベースおよび/またはフラットファイルを含むデータ記憶を含むことができる。図1のシステムアーキテクチャ例において、各施設システム18、20は対応するDMS60を含む。そうした構成において、各情報システム42は、患者データおよび/または追加患者データをDMS60へ送る。さらに、また以下でさらに詳細に論じるように、DMS60は情報システム42へ補助情報を送ることができる。DMS60と（一つまたは複数の）情報システム42との間の通信は、直接接続によって実現することもでき、それだけに限らないが、LAN、WAN、WLAN、および/またはインターネットを含みうるネットワーク（図示せず）を介してリモートで実現することもできる。
【００２９】
個々の施設システムに対応するDMS60は、施設システム18、20の施設40のいずれからも離れて位置することもでき、施設システム18、20の特定の施設40に位置することもできる。図1のシステムアーキテクチャ例において、DMS60は各施設システム18、20内のどの施設40からも離れて位置している。しかし、DMS60は施設40のうちの一つに位置することもでき、他の施設40から離れて位置することもできることが企図されている。
【００３０】
図2のシステムアーキテクチャ例においては、共通のDMS60'が設けられている。共通のDMS60'は、様々な施設システム18、20に共通であり、特定の施設システム18、20と関連付けられたものではない。各情報システム42は、直接接続によって、または、それだけに限らないが、LAN、WAN、WLAN、および/もしくはインターネットを含みうるネットワーク（図示せず）を介してリモートでDMS60'と通信する。図2の構成例において、DMS60'はネットワーク16を介して各情報システム42と通信する。各情報システム42は患者データおよび/または患者情報をDMS60'へ送り、DMS60'は、以下でさらに詳細に論じるように、情報システム42へ補助情報を送ることができる。
【００３１】
図1のシステムアーキテクチャ例において、施設40、または施設システム18、20は、DMS60をローカルDMSとしてインストールし、DMS60は、それだけに限らないが、情報システム42を含みうる他のサーバと共にローカルサイトに置かれる。いくつかの実装形態では、DMS60を切断する、すなわち、論理ネットワークの観点から見て分離することができるが、DMS60は、それでもなお物理的には、個々の施設40に属するその他のサーバと一緒に存在する。DMS60上にはサーバ構成要素がインストールされ、これらの構成要素には、それだけに限らないが、データベース構成要素、データベース同期構成要素、ウェブサービス構成要素、および/または構造化照会言語（SQL, structured query language）構成要素が含まれうる。また、DMS60上には情報システムインターフェースもインストールすることができ、これは情報システム42へのインターフェースとして機能する。非限定的な例をあげると、情報システムインターフェースは、GE Healthcareによって提供されるOBLinkを含みうる。いくつかの実装形態では、DMS60は複数サーバ構成として配置することができ、この構成では、1台のサーバがウェブサービス関連の構成要素だけをホストし、論理的に分離され、別のサーバに残りの必要なサーバ構成要素がインストールされる。
【００３２】
図2のシステムアーキテクチャ例はDMS60'におけるリモート位置のデータ収集を可能にする。そうした実装形態では、DMS60'は、施設40または施設システム18、20のいずれからも離れた、第三者サイトにおいて提供することができる。第三者はDMSホストとして機能し、必要なサーバ構成要素はリモートでホストされるDMS60'上にインストールされる。いくつかの実装形態では、リモートでホストされるDMS60'と施設40または施設システム18、20のネットワークとの間に企業間（B2B, business-to-business）仮想私設ネットワーク（VPN, virtual private network）を作成することができる。このようにすれば、施設40および/または施設システム18、20は、別の物理サーバ、すなわちDMS60を購入および/または保守せずに済む。さらに、DMS60'の稼働時間および使用状況も専用の第三者の側の方がより管理しやすい。ネットワークへのDMS'アクセスは、施設40、または施設システム18、20に負担を負わせるのではなく、第三者によって対処されうる。さらに第三者は、仮想サーバ技術を実装して単一の物理サーバ上の複数のDMSインストールを活用することもできる。そうした実装形態では、複数の仮想サーバが単一の物理サーバ内で論理的に区分され、各仮想サーバは独自のオペレーティングシステムおよびサーバ構成要素を走らせる機能を有し、独立に起動することができる。
【００３３】
DMS60、60'は、一つまたは複数のリモート機器12と、一つまたは複数の情報システム42との間でデータを同期させ、転送する。より具体的には、DMS60、60'は、情報システム42から一つまたは複数のリモート機器12へ転送し、リモート機器12上で提示するために患者データおよび/または患者情報を処理し、作成する。またDMS60、60'は、対応するコンピュータ機器44における提示を可能にするように、一つまたは複数のリモート機器12から情報システム42へ転送し、情報システム42に記憶するための補助情報も処理し、作成する。DMSの例には、それだけに限らないが、AirStrip Technologies, LLCによって提供されるAirStrip Serverを含むことができ、AirStrip ServerにはAirStrip Server Componentsがインストールされる。
【００３４】
次に図3を参照すると、システムアーキテクチャ例10''が示されており、システムアーキテクチャ例10''は、施設システム40、ネットワーク16、およびDMS60'を含む。本明細書においてさらに詳細に論じるように、施設システム40は一つまたは複数の患者監視装置46'、情報システム42、およびコンピュータインターフェース44を含む。
【００３５】
アーキテクチャ例10''には1台だけの患者監視装置46'が示されているが、一つまたは複数の患者監視装置46'がシステムアーキテクチャに統合されうるものであることが企図されている。いくつかの例では、（一つまたは複数の）患者監視装置46'は、施設システム40内に位置しうる。いくつかの例では、（一つまたは複数の）患者監視装置46'は、施設システム40内に、かつ/または施設システム40の外部に位置しうる。例えば、患者監視装置46'は、（例えば在宅医療のために）患者の自宅に位置しうる。患者監視装置46'と情報システム42および/またはDMS60'との間の通信は、直接接続によって実現することもでき、それだけに限らないが、LAN、WAN、WLAN、および/またはインターネットを含みうる一つまたは複数のネットワーク（例えばネットワーク16）を介してリモートで実現することもできる。
【００３６】
本開示の実装形態によれば、患者監視装置46'は、タブレットコンピューティング機器46aおよび一つまたは複数のデータ収集システム46bを含みうる。いくつかの例では、タブレットコンピューティング機器46aは、一つまたは複数のデータ収集システム46bから受け取ったデータに基づいて患者データ波形（患者波形）を表示するために一つまたは複数のコンピュータプログラムアプリケーションを実行することができる。いくつかの例では、データ収集システム46bは、患者（例えば患者50）の生理特性に応答する一つまたは複数の周辺機器（例えばセンサ）を含む。周辺機器の例には、それだけに限らないが、血圧監視装置、心拍数監視装置、胎児心拍数監視装置、収縮監視装置、心電図（ECG）装置、および/または患者の生理特性に応答し、生理特性に基づいてデータを生成する任意の他の適切な装置が含まれうる。
【００３７】
図4に、（例えば図3に示す）様々な構成要素間の通信パスの例を表すサブアーキテクチャ例を示す。図示の例では、（患者監視装置として動作する）タブレットコンピューティング機器46aが、DMS60、60'、（ベンダデータ収集システムとして識別されている）情報システム42、および一つまたは複数の周辺機器46bのうちの一つまたは複数と通信する。いくつかの実装形態では、タブレットコンピューティング機器46aは、一つまたは複数のネットワーク（例えばネットワーク16）上でDMS60、60'および/または情報システム42と通信する。いくつかの例では、タブレットコンピューティング機器46aは、一つまたは複数のネットワーク（例えばネットワーク16）上で、直接（例えば有線接続）、および/または無線（例えばBluetooth（登録商標）接続）で一つまたは複数の周辺機器46bと通信する。いくつかの例では、周辺機器46bのうちの一つまたは複数は、一つまたは複数のネットワーク（例えばネットワーク16）上で情報システム42と通信することができる。いくつかの例では、情報システム42との通信がゲートウェイ41を介して行われうる。このようにして、情報システム42と各機器との間のデータ転送の前に情報システム41と通信する機器を認証することができる。
【００３８】
いくつかの実装形態では、タブレットコンピューティング機器46aは、一つまたは複数の周辺機器46bから患者データを受け取る。いくつかの例では、タブレットコンピューティング機器46aは患者データを処理し、患者データの図形表現を表示する。図形表現の例には、患者波形、テキストデータ、警報、および/またはインジケータが含まれうる。いくつかの例では、タブレットコンピューティング機器46aは、一つまたは複数の周辺機器から受け取った患者データをDMS60、60'および情報システム42のうちの一つまたは複数へ提供する。いくつかの例では、タブレットコンピューティング機器46aは患者データを情報システム42へ提供し、情報システム42は患者データを（前述のように）DMS60、60'へ提供する。いくつかの実装形態では、周辺機器46bのうちの一つまたは複数が患者データを情報システム42へ提供し、情報システム42は患者データをタブレットコンピューティング機器46aおよび/またはDMS60、60'へ提供することができる。いくつかの例では、DMSはデータ（例えば補助データ）をタブレットコンピューティング機器46aおよび/または情報システム42へ提供する。
【００３９】
いくつかの実装形態では、各タブレットコンピューティング機器46aは、特定の患者50の生理学的データを受け取り、その特定の患者の生理特性を監視する。いくつかの実装形態では、各タブレットコンピューティング機器46aは、複数の患者50の生理学的データを受け取り、それら複数の患者の生理特性を監視する。このようにして、例えば保健医療提供者は、任意の場所から複数の患者のうちのいずれかの患者の患者データを確認することができる。例えば、タブレットコンピューティング機器46aは、第1の患者の部屋内に位置することができ、一つまたは複数の周辺機器46bから第1の患者と関連付けられた患者データを受け取ることができる。保健医療提供者は、第1の患者の部屋にあるタブレットコンピューティング機器46aにアクセスして、第2の患者と関連付けられた患者データを取得し、表示する（例えば、情報システム42から第2の患者と関連付けられた患者データを取得する）ことができる。
【００４０】
いくつかの実装形態では、タブレットコンピューティング機器46aは、一つまたは複数のコンピュータプログラムを実行して様々なサービスを提供する。サービスの例には、情報表示、電子医療記録（EMR）の記録、照会、取得、および表示、履歴波形の確認および履歴波形とのやりとり、画像生成、ならびに/または（例えば介護者から介護者へ、かつ/または介護者から患者への）遠隔会議が含まれうる。
【００４１】
いくつかの実装形態では、タブレットコンピューティング機器46aは、タブレットコンピューティング機器46aとのユーザ対話を可能にするタッチスクリーンディスプレイを含む。例えば、ユーザ（例えば保健医療提供者）は、タッチスクリーンディスプレイと対話して、患者データ、波形、ディジタル画像、ディジタル映像、EMRなどの表示を要求することができる。いくつかの例では、図9A〜図9Jに関連して以下でさらに詳細に論じるように、ユーザはタッチスクリーンディスプレイを用いて患者波形データの履歴スクローリングを行うことができる。患者波形データの履歴スクローリングは二方向とすることができ、ユーザがより古い、またはより新しい医療データをスクロールし、指定の間隔でデータを記録することを可能にする。
【００４２】
いくつかの実装形態では、タブレットコンピューティング機器46aは、ディジタル画像および/またはディジタル映像の取得を可能にするカメラおよびソフトウェアを含みうる。いくつかの例では、タブレットコンピューティング機器46aは、オーディオ（例えば口述されたメモ）を取り込むためのマイクロホンを含みうる。このように、保健医療提供者はタブレットコンピューティング機器46aを使用して、患者と関連付けられたディジタル画像、ディジタル映像、および/またはディジタルオーディオ（例えば傷の治療を追跡した画像）を生成することができる。ディジタル画像、ディジタル映像、および/またはディジタルオーディオを含む一つまたは複数の電子ファイルを、情報システム42およびDMS60、60'のうちの一つまたは複数へ提供することができる。いくつかの例では、電子ファイルは、患者と関連付けられたEMRに添付し、またはそれ以外にEMRの一部とすることができる。いくつかの例では、タブレットコンピューティング機器46aのユーザと別のリモートコンピューティング機器のユーザとの間で遠隔会議および/またはテレビ会議を設定することができる。例えば、第1の保健医療提供者（例えば看護師）はタブレットコンピューティング機器46aを使用することができ、第2の保健医療提供者（例えば医者）はリモート機器（例えば前述のリモート機器12）を使用することができる。タブレットコンピューティング機器46aおよびリモート機器を用いて、第1の保健医療提供者と第2の保健医療提供者との間で遠隔会議および/またはテレビ会議を設定することができる。
【００４３】
いくつかの実装形態では、ディジタル画像化、ディジタル映像化および/または会議（遠隔/テレビ）機能は、タブレットコンピューティング機器46a上で実行される患者監視アプリケーションによって提供されうる。このようにして、例えば、結果として得られるデータ（例えばディジタル画像ファイル、ディジタル映像ファイル、ディジタルオーディオファイル）を、一人または複数の患者と自動的に関連付けることができ、一人または複数の患者と関連付けられたそれぞれのEMRに添付することができ、情報システム42およびDMS60、60'のうちの一つまたは複数へ自動的に転送することができる。
【００４４】
いくつかの実装形態では、生理学的パラメータが所定の範囲を超える（例えば、血圧が著しく増加または減少する、心イベントが発生する、および/または酸素飽和度が低下する）場合、視覚および/または聴覚警報を作動させることができる。いくつかの例では、タブレットコンピューティング機器46aは視覚および/または聴覚警報を発生させることができる。いくつかの実装形態では、タブレットコンピューティング機器46aは警報を退けるのに使用することができる。
【００４５】
いくつかの実装形態では、タブレットコンピューティング機器46aをシングルアプリケーションモードで動作するように構成することができる。シングルアプリケーションモードでは、タブレットコンピューティング機器46aは、ただ一つのアプリケーション（例えば患者監視アプリケーション）を実行し、他のアプリケーションの実行を妨げる。例えば、タブレットコンピューティング機器46aは患者監視アプリケーションを特定の患者のための患者監視装置46'の一部として実行することができる。タブレットコンピューティング機器46aがシングルアプリケーションで実行されている場合、患者および/または患者を訪問している訪問者は、タブレットコンピューティング機器46aにアクセスしてタブレットコンピューティング機器上で他のアプリケーションを実行することを妨げられる。このようにして、タブレットコンピューティング機器46aは、患者または複数の患者から取得された医療データだけを表示するように設定される。
【００４６】
いくつかの実装形態では、タブレットコンピューティング機器46aの機能ロックアウトすることができる。例えば、通常はユーザ入力（例えば、タッチスクリーンディスプレイとのユーザ接触、一つまたは複数のボタンとのユーザ接触）に応答して実行されるはずの機能がユーザ入力に応答して実行されるのを妨げることができる。いくつかの例では、入力装置（例えば、タッチスクリーン、ボタン（ホームボタン、スリープ/起動ボタン）と関連付けられた一つまたは複数のアプリケーションプログラムインターフェース（API, application program interface）にアクセスして、ユーザ入力に応答して機能が実行されるのを妨げるよう指示することができる。このようにして、タブレットコンピューティング機器46aは、中断されずに指示どおりに（例えば患者モニタとして）動作することができる。
【００４７】
いくつかの実装形態では、シングルアプリケーションモードおよび/または機能ロックアウトを無効にすることができる。例えば、許可されたユーザが資格情報（例えばユーザ名とパスワード）を提供して、シングルアプリケーションモードおよび/または機能ロックアウトを無効にすることができる。
【００４８】
図5に監視システム（例えば患者監視装置46'）の例500を示す。いくつかの実装形態では、監視システム500は、タブレットコンピューティング機器46aおよびドッキングステーション502を含む。例えば、タブレットコンピューティング機器46aは、ドッキングステーション502としっかりとドッキングすることができる。いくつかの例では、ドッキングステーション502はモバイルスタンド上に取り付けられ、容易に取り外すことができる。図示の例では、タブレットコンピューティング機器46aは、架空の患者と関連付けられた架空の患者データを表示しており、患者データは架空の患者の心臓血管特性と関連付けられた生理学的データを反映している。しかし、他の生理学的データをタブレットコンピューティング機器46aによって取得し、監視し、表示することもできることが理解される。
【００４９】
図6Aおよび図6Bに、ドッキングステーションの例600の詳細な図を示す。いくつかの実装形態では、図6Bに示すように、ドッキングステーション600は周辺機器（例えば周辺機器46b）との有線接続のための複数のポートを含みうる。いくつかの例では、各ポートは、生理学的データ（例えば、ECG信号、血圧波形、心拍数など）を取得するための標準医療機器と適合している。図6Bに示すように、タブレットコンピューティング機器46aはドッキングステーション600とドッキングすることができる。図示の例では、タブレットコンピューティング機器46aは、タブレットコンピューティング機器46aを受けるように構成されているスロットへスライドしてはめ込まれる。いくつかの例では、タブレットコンピューティング機器46aは、タブレットコンピューティング機器46aの取り外しを防ぐためにドッキングステーション600内に固定することができる。例えば、ロック機構を設けることができ、ロック機構はタブレットコンピューティング機器46aをドッキングステーション600から外すための鍵または他のロック解除手段（例えばコード）を必要としうる。
【００５０】
いくつかの例では、タブレットコンピューティング機器46aは、ドッキングステーション46aと電気的に連通しうる。いくつかの例では、ドッキングステーション600は、周辺機器から電気信号を受け取り、その信号をリアルタイムでタブレットコンピューティング機器へ提供することができる。いくつかの例では、タブレットコンピューティング機器とドッキングステーションとの間の電気的連通を、有線通信および/または無線通信（例えば、WiFi、Bluetooth（登録商標））によって実現することができる。いくつかの実装形態では、ドッキングステーション600を電源（例えばコンセント）に差し込むことができ、タブレットコンピューティング機器46aの電池を充電することができる。いくつかの実装形態では、図6Bで示すように、ドッキングステーション600は異なる角度で傾けることができ、ユーザがタブレットコンピューティング機器46a（モニタ）を見るのに、かつ/またはタブレットコンピューティング機器46aと対話するのに最も好都合な角度を選択することを可能にする。
【００５１】
いくつかの実装形態では、タブレットコンピューティング機器46aとドッキングステーション600との間の通信が、シングルアプリケーションモードでのタブレットコンピューティング機器46aの動作をトリガすることができる。いくつかの例では、タブレットコンピューティング機器46aがドッキングステーション600にドッキングしたことに応答して、シングルアプリケーションモードを自動的にトリガすることができる。いくつかの例では、タブレットコンピューティング機器46aがドッキングステーション600との通信を確立したことに応答して、シングルアプリケーションモードを自動的にトリガすることができる。
【００５２】
本開示の実装形態は、ディジタル電子回路を用いて、またはコンピュータハードウェア、ファームウェア、ソフトウェアとして、またはこれらの組み合わせとして提供することができる。いくつかの例では、各実装形態は、データ処理装置、および/またはプログラマブルプロセッサ、コンピュータ、もしくは複数のコンピュータにより実行するための、またはこれらの動作を制御するための一つまたは複数のコンピュータプログラム製品、例えば、機械可読記憶装置において有形的に具現化されたコンピュータプログラムとして提供することができる。コンピュータプログラムは、コンパイラ型言語またはインタプリタ型言語を含む任意の形のプログラミング言語で書くことができ、独立型プログラムとして、またはモジュール、コンポーネント、サブルーチン、もしくはコンピューティング環境における使用に適する他のユニットとしての形を含めて、任意の形で配備することができる。コンピュータプログラムは、一つのサイトにある、または複数のサイトにまたがって分散され、通信ネットワークによって相互接続された1台のコンピュータまたは複数のコンピュータ上で実行されるように配備することができる。そうしたコンピュータプログラムは、本明細書において示す特徴、局面、および/または実装形態の一つまたは複数を実行するためのモジュールおよび/またはコードセグメントを含むことができる。
【００５３】
本開示の実装形態による動作は、入力データに作用し、出力を生成することによって機能を果たすためのコンピュータプログラム製品を実行する一つまたは複数のプログラマブルプロセッサによって実行することができる。例として、コンピュータプログラム製品は、本明細書において示す方法工程、局面および/または特徴の各々に対応するモジュールおよび/またはコードセグメントを含むことができる。また方法工程は、例えば、FPGA（field programmable gate array）やASIC（application-specific integrated circuit）の専用論理回路によって実行することもでき、本開示の装置を専用論理回路として実装することもできる。
【００５４】
コンピュータプログラムの実行に適するプロセッサには、例えば、汎用と専用両方のマイクロプロセッサや、任意の種類のディジタルコンピュータの任意の一つまたは複数のプロセッサが含まれる。一般に、プロセッサは、読取り専用メモリ、またはランダムアクセスメモリ、またはその両方から命令およびデータを受け取ることになる。コンピュータの要素は、命令を実行するためのプロセッサと、命令およびデータを記憶するための一つまたは複数のメモリデバイスとを含みうる。また一般にコンピュータは、データを記憶するための一つまたは複数の大容量記憶装置、例えば磁気ディスク、光磁気ディスク、光ディスクを含むことができ、あるいは、それらからデータを受け取り、またはそれらへデータを転送し、またはその両方を行うために動作可能に結合されうる。コンピュータプログラム命令およびデータを具現化するのに適する情報キャリアにはあらゆる形の不揮発性メモリが含まれ、例として、半導体メモリデバイス、例えば、EPROM、EEPROM、およびフラッシュメモリデバイス;内蔵ハードディスクや取り外し可能ディスクといった磁気ディスク;光磁気ディスク;ならびにCD-ROMディスクおよびDVD-ROMディスクが含まれる。プロセッサおよびメモリは、専用論理回路によって補足することもでき、専用論理回路に組み入れることもできる。
【００５５】
本開示は、それだけに限らないが、本明細書において記述したシステム例を含むシステムにおいて実装することができ、これらのシステムは、例えばデータサーバとしてのバックエンド構成要素を含み、またはミドルウェア構成要素、例えばアプリケーションサーバを含み、またはフロントエンド構成要素、例えば、ユーザが本発明の実装形態と対話するためのグラフィカルユーザインターフェースもしくはウェブブラウザを有する、モバイル機器102といったクライアント機器を含み、またはそうしたバックエンド、ミドルウェア、もしくはフロントエンドの各構成要素の任意の組み合わせを含む。システムの各構成要素は、任意の形式または媒体のディジタルデータ通信、例えば通信ネットワークによって相互接続することができる。
【００５６】
以上いくつかの実装形態を説明した。とはいえ、本開示の趣旨および範囲を逸脱することなく様々な改変が加えられうることが理解されるであろう。例えば、本開示の各工程を異なる順序で実行し、しかも所望の結果を達成することもできる。したがって、添付の特許請求の範囲内には他の実装形態が含まれるものである。
【図１】
2015519101.tif 000004
【図２】
2015519101.tif 000005
【図３】
2015519101.tif 000006
【図４】
2015519101.tif 000007
【図５】
2015519101.tif 000008
【図６】
2015519101.tif 000009
【国際調査報告】
2015519101.tif 000010